(57)【特許請求の範囲】
【請求項１】
下側プレート（１）と、そのプレートに固定されたブリッジ（２）と、そのプレートとブリッジのそれぞれのオリフィス内に２端部が取り付けられた固定用ガイド管（１５）と、その管の軸方向内孔（１４）に挿通されて案内される回転ホィール軸（１０）とを有する時計ムーブメントであって、
ガイド管（１５）は、それぞれ前記プレート（１）及び前記ブリッジ（２）に当接する２つの対向する外側肩部（２１、２６）を備えていて、それらで前記プレートと前記ブリッジの間に所定隙間を維持できるようにしたことを特徴とするムーブメント。
【請求項２】
印刷回路要素（２４）がブリッジ（２）に当接させられており、前記印刷回路要素に設けられた穴（２３）にガイド管が挿通されており、その管の外周支持表面（２２）がその穴と協働して前記印刷回路要素を位置決めするようにしたことを特徴とする先行請求項のいずれか１項記載のムーブメント。
【請求項３】
前記軸（１０）は、クロノグラフカウンタのもので、下側プレート（１）の下方に示針を支持していることを特徴とする先行請求項のいずれか１項記載のムーブメント。
【請求項４】
ブリッジ（２）は、３本の前記管（１５）と前記管を前記プレート及びブリッジ間に把持しようとするねじ（３１）とによって下側プレート（１）に固定されていることを特徴とする先行請求項のいずれか１項記載のムーブメント。
【発明の詳細な説明】
【０００１】
【発明の属する技術分野】
本発明は、下側プレートと、そのプレートに固定されたブリッジと、プレート及びブリッジのそれぞれのオリフィス内に２端部が取り付けられた固定ガイド管と、管の軸方向内孔に挿通されて案内される回転ホィール軸とを有する時計ムーブメントに関する。
【０００２】
【従来の技術】
プレート及びブリッジに挿通されており、例えば示針をプレートの下方に（すなわち文字盤側に）、ホィールをブリッジの上方に支持する回転軸を横方向に案内するためのガイド管を使用する場合、軸の端部は一般的に第２ブリッジまたは第２プレートで支持されている。英国特許第１，４５９，２８７号の図２は、時針、分針及び秒針の同心軸を案内するために管を文字盤の中央位置でブリッジ及び文字盤のオリフィス内に取り付けた変更例を示している。
【０００３】
【発明が解決しようとする課題】
そのような従来の構造では、各ブリッジが、一般的に３個のねじピラーでプレートに固定されており、また例えばスイス特許第５８８，１０８号に示されているように、ねじピラーは２個のブリッジを異なった高さに支持することもできる。これらのピラーには、プレートとブリッジの間において平面図でムーブメントのホィール及びピニオンが存在する領域の外側に配置しなければならないという問題がある。このため、それらはブリッジの縁部に近接した位置に配置されることが多く、ブリッジの大きさ、厚さ及び重量を増大させる結果になるであろう。いずれのガイド管も他の位置に設けられる。
【０００４】
本発明の目的は、上記問題を回避して、特にクロノグラフ時計のもの等の複雑なムーブメントの場合にムーブメントの構造をできる限り小型化かつ軽量化することである。
【０００５】
【課題を解決するための手段】
このため、本発明は、ガイド管がそれぞれプレート及びブリッジに当接する２つの対向する外側肩部を備えて、プレートとブリッジの間に所定隙間を維持できるようにしたことを特徴とする上記形式の時計ムーブメントである。
このため、本発明の基本的な考えは、通常のブリッジピラーの少なくとも１つ、好ましくは幾つかのそのようなピラーを、プレートとブリッジの間の空間内にすでに位置決めされている特別配置の１つまたは複数のガイド管に置き換えることにある。その結果、明らかに空間が節約されるだけでなく、ピラーの重量がなくなるのに加えて、ブリッジの大きさ、従って重量が相当に減少する。クロノグラフ時計では一般的に３本であるガイド管はプレートの縁部から一定距離の位置にあり、その間の距離は従来のピラー間の距離より一般的に小さいため、場合によってはブリッジの厚さを小さくするか、ブリッジをさらに頑強にすることができる。ブリッジは、管をプレート及びブリッジ間に把持しようとするねじだけによってプレートに固定することができる。そのようなねじが必要とする空間は従来のピラーよりもはるかに小さいので、それらの位置をもっと自由に選択することができる。
【０００６】
ホィール及びピニオンの軸が一般的にこれらの２部材に回動可能に取り付けられているとした時、各ガイド管の２つの外側肩部の機能は、プレートとブリッジの間に完全に一定の隙間を維持することである。この問題及びこの機能は、肩部を利用しないで管が文字盤に固定されていると共に文字盤に回動部がない英国特許第１，４５９，２８７号に従った上記構造には存在しない。
本発明の他の特徴及び利点は、添付の図面を参照した非制限的な以下の好適な実施例の説明から明らかになるであろう。
【０００７】
【発明の実施の形態】
図１に示されているムーブメントでは、文字盤が底側に配置されている、すなわち図において「下側」は文字盤側であり、「上側」はその反対側を表す。
ムーブメントは、従来のように、下側プレート１、歯車列ブリッジ２、上側プレート３、ブリッジ２とプレート３間に配置された歯車列４を備えている。歯車列４は、ここではピニオン６に取り付けられたステップモータロータ５と、ピニオン８に取り付けられてピニオン６と噛み合ったホィール７と、軸１０に取り付けられてピニオン８と噛み合ったホィール９とを備えている。部材５〜８で形成された２つのホィール及びピニオンは、軸受１１によってブリッジ２及び上側プレート３に支持されている。軸１０の上端部には、上側プレート３内に固定された軸受１３によって支持されたピボット１２が設けられている。さらに、軸１０は、ブリッジ２及び下側プレート１のそれぞれの円筒形オリフィス１６及び１７内に係合したガイド管１５の中央内孔１４に挿通されて、軸１０がブリッジ２及びプレート１を貫通している。軸１０の下端部１８は、時計の文字盤１９も貫通して、示針１８ａを支持している。この示針は、例えばクロノグラフの分または時カウンタの針にすることができる。一般的な配置によれば、カウンタはムーブメント及び文字盤１９の中心３０（図２）から一定距離の位置にあり、この中心に時計の時針及び分針の軸とクロノグラフの中心針が位置している。
【０００８】
管１５の第１端部２０がブリッジ２の対応のオリフィス１６に打ち込まれているため、管はブリッジに固定されている。この端部２０の上方において、管１５はブリッジ２に当接する環状の外側に向いている肩部２１を備えている。この外側肩部に続いて、ブリッジ２の下面に当て付けられた印刷回路板２４の穴に係合した円筒形支持表面２２が設けられている。このため、表面２２は、回路板２４をそれの平面上に位置決めするためにも使用され、その回路板は、回路板とプレート１の間に配置された支柱（図示せず）によってブリッジ２にさらに押し付けられている。
【０００９】
管１５の下端部２５は、遊びを設けないで下側プレート１のオリフィス１７にはまって、その位置で案内されると共に取り外しが可能である。この端部に近接した位置に、管１５はプレート１と当接する環状の外側肩部２６を備えている。さらに、例えば２個のねじ３１（図２）を設けて、このねじがブリッジ２をプレート１の方へ引き寄せて、これらの２部材が管１５の肩部２１及び２６を挟持するようにして、上記の従来の構造のようにブリッジ２の安定性を確保することができる。
【００１０】
管１５の内孔１４に入っている軸１０の直径は、円筒形段差部２７を除いて内孔の直径よりもわずかに小さくなっており、また軸の横方向案内を確保するために段差部２７の直径は内孔１４とほぼ同じになっている。好ましくは、この段差部２７は、管の下端部２５の領域内、すなわち反対側の軸受１３からできる限り離れた位置に配置される。軸１０はさらに、管１５の第１端部２０に当接するカラー２８を備えて、それを軸方向に位置決めできるようにしている。このカラーは、軸上にはめ付けられるホィール９に対するストッパとしても利用される。
【００１１】
上記のクロノグラフムーブメントでは、例えば３個のカウンタまたは２個のカウンタ及びスモール・セカンド(small second)用の３本の軸１０、３２及び３３（図２）が設けられて、下側プレート１及びブリッジ２を貫通している。従って、これらの軸は３本のガイド管１５によって案内されるため、ブリッジ２をこれらの３本の管だけで支持することができ、これらは従来のピラーに代わって、プレート１とブリッジ２との間に正確な隙間を確保する。これによって得られる利点は前述されている。１つまたは複数のガイド管と１つまたは複数の従来のピラーとの組み合わせでによってブリッジ２を支持することもできる。
【００１２】
印刷回路板２４の位置決めを２つの管１５だけによって確保して、回路板の対応のオリフィス２３を、一方の管の周囲で円形に、他方の管の周囲で細長くして、回路板の熱膨張に対応できるようにしてもよい。
【００１３】
さらに、軸１０をそのガイド管１５によって完全に、または他の手段の補助も合わせて支持することができるので、本発明は上側プレート３がない場合にも適用できることに注意されたい。
【００１４】
上記説明はクロノグラフ時計について説明しているが、本発明は、ブリッジ及びプレートの両方に挿通された軸を有するいずれの形式の時計ムーブメントにも適用できる。
【図面の簡単な説明】
【図１】  クロノグラフ時計用の、本発明によるムーブメントの一部分の断面図である。
【図２】  図１のＩＩ−ＩＩ線に沿った歯車列ブリッジの簡略化した平面図である。
【符号の簡単な説明】
１  下側プレート、  ２  ブリッジ、  １０  回転ホィール軸、
１４  軸方向内孔、  １５  ガイド管
【図１】
0004099246.tif 000002
【図２】
0004099246.tif 000003